(57)【要約】【課題】コピー先の記録媒体の種類を容易に変更可能とするデュプリケータを提供する。【解決手段】信号処理基板を、メインボード１０と、サブユニットボード１２と、スロットボード１４とに３分割し、各ボード間をコネクタで接続することで脱着自在とする。スロット１４ｃに異常が生じた場合、スロットボード１４のみを交換することで対応する。コピー先の記録媒体の種類を変更する場合、サブユニットボード１２とスロットボード１４を交換し、メインボード１０をそのまま維持することで対応する。【選択図】図１
2010198549.tif 000002
【特許請求の範囲】
【請求項１】
記録すべきデータを出力するとともに装置全体を制御するメインボード部と、
前記メインボード部から供給された前記記録すべきデータをバッファリングし、記録先の媒体の種類に応じた信号処理を実行するサブユニットボード部と、
記録先の媒体がそれぞれ装着される、記録先の媒体の種類に応じた複数のスロットを有し、前記サブユニットボード部から供給された前記記録すべきデータを前記複数のスロットに供給するスロットボード部と、
を備え、
前記メインボード部は第１コネクタを有し、
前記サブユニットボード部は、前記第１コネクタに対向する第２コネクタと、第３コネクタを有し、
前記スロットボード部は、前記第３コネクタに対向する第４コネクタを有し、
前記メインボード部と前記サブユニットボード部は、前記第１コネクタ及び前記第２コネクタを介して脱着自在に接続され、
前記サブユニットボード部と前記スロットボード部は、前記第３コネクタ及び前記第４コネクタを介して脱着自在に接続される
ことを特徴とするデータ記録装置。
【請求項２】
記録すべきデータを出力するとともに装置全体を制御するメインボード部と、
記録先の媒体がそれぞれ装着される、記録先の媒体の種類に応じた複数のスロットを有し、前記メインボード部から供給された前記記録すべきデータを前記複数のスロットに供給するスロットボード部と、
を備え、
前記メインボード部は、記録先の媒体の種類に応じたコネクタを互いに異なる位置に複数種類有し、
前記スロットボード部は、前記コネクタに対向するコネクタを有し、
前記メインボード部と前記スロットボード部は、前記コネクタを介して脱着自在に接続される
ことを特徴とするデータ記録装置。
【請求項３】
請求項１記載の装置において、
前記装置の筐体内に前記スロットボード部を収容するための独立空間が形成され、
前記独立空間の奥壁に前記サブユニットボード部を挿入するための開口部が形成され、
前記サブユニットボード部は、前記第３コネクタが挿入される開口を有するブラケットで筐体に固定され、
前記ブラケットで前記奥壁の前記開口部を閉塞することで、前記筐体内部に吸い込まれる冷却空気に対する障壁を形成することを特徴とするデータ記録装置。
【請求項４】
請求項１記載の装置において、
前記サブユニットボード部は、記録先の媒体の種類に応じたコネクタを互いに異なる位置に複数種類有し、
前記スロットボード部は、前記コネクタに対向するコネクタを有し、
前記サブユニット部と前記スロットボード部は、前記コネクタを介して脱着自在に接続される
ことを特徴とするデータ記録装置。
【発明の詳細な説明】
【技術分野】
【０００１】
本発明はデータ記録装置、特に複数の記録媒体にデータを記録（コピー）する装置に関する。
【背景技術】
【０００２】
コピー元の記録媒体に記録されたデータを複数の記録媒体に記録（コピー）する、デュプリケータとも呼ばれるデータ記録装置が開発されている。デュプリケータは、同一コンテンツのデータを記録する多数の記録媒体を簡易に作成できるため、販売促進用記録媒体の作成などに用いられている。
【０００３】
通常、デュプリケータでは、複数の記録媒体を装着するための複数のインタフェースあるいはスロットを備え、コピー元の記録媒体からコピーすべきデータを入力して適宜、コピー先の記録媒体のフォーマットに適合したフォーマットに変換してコピー先の記録媒体に記録する。記録媒体としては、ＣＤやＤＶＤ等の光ディスク、ＵＳＢメモリ、ＳＤメモリ等が用いられる。
【０００４】
下記の特許文献１には、原本ＨＤＤ（ハードディスクドライブ）及び複写先ＨＤＤを備えるハードディスク装置が開示されている。メインボードに接続して使用する複数のＨＤＤ制御ボードと、制御ボードに対して１対１に接続して使用する原本ＨＤＤ、及び複数の複写先ＨＤＤが開示されている。また、メインボードにＨＤＤ拡張ボードを接続し、拡張ボードに原本ＨＤＤ及び複数の複写先ＨＤＤを接続する構成も開示されている。
【０００５】
また、特許文献２には、デュプリケータに関するものではないが、回路基板を筐体の中に並列に複数搭載可能な回路基板収容体として、電磁シールド板を導電性を有する電磁遮蔽部材とその端部に設けた導電性を有するフロントパネルで構成し、フロントパネルを接地された筐体に電気的導通を確保して固定することにより確実に電磁シールド板を接地するとともに、筐体の基板挿入用開口部を密閉して、回路基板間の電磁遮蔽及び回路基板と筐体外部の電磁遮蔽を行う構成が開示されている。
【先行技術文献】
【特許文献】
【０００６】
【特許文献１】特開平１０−１９８５２４号公報
【特許文献２】特開２００４−３６３５８１号公報
【発明の概要】
【発明が解決しようとする課題】
【０００７】
メインボードに複数のＨＤＤ等の記録媒体を接続してコピーする構成では、記録媒体を接続するための一部のスロット部分に不具合が生じた場合でも、メインボード全体を交換する必要があり、煩雑であるとともにコスト増加となる問題がある。また、コピー先の記録媒体の種類を変更する、例えばＨＤＤからＵＳＢメモリに変更する等の必要が生じた場合においても、メインボード自体を交換する必要があることから迅速に対応することができない問題もある。
【０００８】
メインボードに拡張ボードを接続し、この拡張ボードに複数のＨＤＤを接続する構成においても同様であり、スロット部のみに不具合があっても拡張ボードを交換する必要が生じてしまう。
【０００９】
本発明は、複数の記録媒体に同一データを記録する（コピーする）場合において、記録媒体を装着するスロット部に不具合が生じても迅速に対応できる装置を提供する。また、本発明は、複数の記録媒体に同一データを記録する（コピーする）場合において、記録媒体の種類の変更にも迅速に対応できる装置を提供する。
【課題を解決するための手段】
【００１０】
本発明は、記録すべきデータを出力するとともに装置全体を制御するメインボード部と、前記メインボード部から供給された前記記録すべきデータをバッファリングし、記録先の媒体の種類に応じた信号処理を実行するサブユニットボード部と、記録先の媒体がそれぞれ装着される、記録先の媒体の種類に応じた複数のスロットを有し、前記サブユニットボード部から供給された前記記録すべきデータを前記複数のスロットに供給するスロットボード部とを備え、前記メインボード部は第１コネクタを有し、前記サブユニットボード部は、前記第１コネクタに対向する第２コネクタと、第３コネクタを有し、前記スロットボード部は、前記第３コネクタに対向する第４コネクタを有し、前記メインボード部と前記サブユニットボード部は、前記第１コネクタ及び前記第２コネクタを介して脱着自在に接続され、前記サブユニットボード部と前記スロットボード部は、前記第３コネクタ及び前記第４コネクタを介して脱着自在に接続されることを特徴とする。
【００１１】
本発明において、前記装置の筐体内に前記スロットボード部を収容するための独立空間が形成され、前記独立空間の奥壁に前記サブユニットボード部を挿入するための開口部が形成され、前記サブユニットボード部は、前記第３コネクタが挿入される開口を有するブラケットで筐体に固定され、前記ブラケットで前記奥壁の前記開口部を閉塞することで、前記筐体内部に吸い込まれる冷却空気に対する障壁を形成することが好適である。
【００１２】
また、本発明は、記録すべきデータを出力するとともに装置全体を制御するメインボード部と、記録先の媒体がそれぞれ装着される、記録先の媒体の種類に応じた複数のスロットを有し、前記メインボード部から供給された前記記録すべきデータを前記複数のスロットに供給するスロットボード部とを備え、前記メインボード部は、記録先の媒体の種類に応じたコネクタを互いに異なる位置に複数種類有し、前記スロットボード部は、前記コネクタに対向するコネクタを有し、前記メインボード部と前記スロットボード部は、前記コネクタを介して脱着自在に接続されることを特徴とする。
【発明の効果】
【００１３】
本発明によれば、複数の記録媒体に同一データを記録する（コピーする）場合において、記録媒体を装着するスロット部に不具合が生じても迅速に対応できる。また、本発明は、複数の記録媒体に同一データを記録する（コピーする）場合において、記録媒体の種類の変更にも迅速に対応できる。
【図面の簡単な説明】
【００１４】
【図１】実施形態の構成ブロック図である。
【図２】デュプリケータの外観斜視図である。
【図３】スロットボードを取り外した状態の外観斜視図である。
【図４】上蓋を取り外した状態の外観斜視図である。
【図５】上蓋を取り外した状態の外観斜視図である。
【図６】メインボード、サブユニットボード、スロットボードの斜視図である。
【図７】メインボード、サブユニットボード、スロットボードの平面図である。
【図８】メインボード、サブユニットボード、スロットボードの他の斜視図である。
【図９】メインボード、サブユニットボード、スロットボードの他の平面図である。
【図１０】一体化ボード、スロットボードの斜視図である。
【図１１】一体化ボード、スロットボードの他の斜視図である。
【図１２】メインボード、サブユニットボード、スロットボードの他の斜視図である。
【図１３】メインボード、サブユニットボード、スロットボードの他の斜視図である。
【発明を実施するための形態】
【００１５】
以下、図面に基づき本発明の実施形態について説明する。
【００１６】
図１に、本実施形態におけるデータ記録装置（デュプリケータ）１の構成ブロック図を示す。従来においては、メインボードに複数の記録媒体を装着する、あるいはメインボードに拡張ボードを接続し、この拡張ボードに複数の記録媒体を装着する構成であるが、本実施形態のデュプリケータ１は、メインボード１０と、サブユニットボード１２と、スロットボード１４とを備える。
【００１７】
メインボード１０は、装置全体を制御する回路基板であり、コピー元の記録媒体やコピー先の記録媒体の種類、あるいはコピーすべきデータの種類によらず、コピー元の記録媒体に記録されたデータを入力し、コピー先の記録媒体に記録すべきデータを生成する信号処理回路を含む。信号処理回路は、データを処理するためのプログラム（ファームウェア）が格納されるＲＯＭ１０ｃ、ワーキングメモリとしてのＲＡＭ１０ｂ、及びＣＰＵ１０ａを含む。ＣＰＵ１０ａ、ＲＡＭ１０ｂ、ＲＯＭ１０ｃはそれぞれＣＰＵバスに接続される。また、信号処理回路は、コネクタ１０ｄを含む。コネクタ１０ｄは、後述するサブユニットボード１２と接続するためのコネクタであり、ＣＰＵバスに接続される。
【００１８】
コピー元のデータは、メインボード１０のＣＰＵ１０ａに供給される。ＣＰＵ１０ａは、ＲＯＭ１０ｃに格納されたファームウェアに従って適宜信号処理を行い、コネクタ１０ｄを介して後述するサブユニットボード１２に出力する。コピー元のデータは、デュプリケータ１に設けられたコピー元記録媒体用のスロットに装着された記録媒体から読み出される。コピー元のデータは、外部から供給してもよい。例えば、デュプリケータ１にパーソナルコンピュータを接続し、パーソナルコンピュータの記憶装置、例えばＨＤＤに記録されたデータをコピー元のデータとしてメインボード１０に供給してもよい。
【００１９】
コピー元のデータの種類は任意であり、テキストデータ、音声データ、画像データ、動画データ、プログラムデータ等のいずれでもよい。但し、メインボード１０は、処理を高速化するために、コピー元のデータをイメージファイルとして処理する。
【００２０】
また、コピー元の記録媒体の種類も任意であるが、基本的にはコピー元の記録媒体とコピー先の記録媒体の種類は同一とすることが好適である。コピー元の記録媒体及びコピー先の記録媒体をともにＵＳＢメモリとする等である。但し、本実施形態はこれに限定されるものではなく、コピー元の記録媒体とコピー先の記録媒体の種類が異なっていてもよい。例えば、コピー元の記録媒体はＵＳＢメモリ、コピー先の記録媒体はＳＤメモリ等である。
【００２１】
サブユニットボード１２は、メインボード１０に対して脱着自在に接続され、コピー先の記録媒体の種類に応じた信号処理を行うための信号処理回路を含む。信号処理回路は、ＦＰＧＡ（Field Programmable Gate Array）１２ａ、ＲＡＭ１２ｂ、ＲＯＭ１２ｃの他に、ＦＩＦＯメモリ１２ｄ、シリアル／パラレル変換回路（Ｓ／Ｐ回路）１２ｅ、１２ｆ、コネクタ１２ｇ、１２ｈ、１２ｉを含む。
【００２２】
ＦＰＧＡ１２ａは、メインボード１０のＣＰＵ１０ａによって定義される動作内容に基づいて、コピー先の記録媒体の種類に応じた信号処理を行う。例えば、コピー先の記録媒体がＵＳＢメモリである場合には、メインボード１０のＣＰＵ１０ａから送信された、ＵＳＢメモリの規格に従ったコマンドを解釈して実行する。なお、ＦＰＧＡ１２ａをＣＰＵに置き換え、ＲＯＭ１２ｃに格納されたファームウェアに従ってサブユニットボード１２上の信号処理回路を制御するようにしてもよい。
【００２３】
ＦＩＦＯメモリ１２ｄは、メインボード１０から送信された、コピー元のデータを格納し、先読み先出しの原理でバッファリングする。
【００２４】
シリアル／パラレル変換回路（Ｓ／Ｐ回路）１２ｅ、１２ｆは、パラレルデータのコピー元データをシリアルデータに変換して出力する。
【００２５】
コネクタ１２ｇは、メインボード１０のコネクタ１０ｄと接続される。また、コネクタ１２ｆ、１２ｉは、それぞれ後述するスロットボード１４のコネクタと接続される。
【００２６】
本実施形態では、シリアル／パラレル変換回路（Ｓ／Ｐ回路）１２ｅから出力されたシリアルデータはコネクタ１２ｈを介してサブユニットボード１２からスロットボード１４に供給され、シリアル／パラレル変換回路（Ｓ／Ｐ回路）１２ｆから出力されたシリアルデータはコネクタ１２ｉを介してサブユニットボード１２からスロットボード１４に供給されるが、これはスロットボード１４に搭載されるスロットの数を考慮して２分割したものであって、シリアル／パラレル変換回路（Ｓ／Ｐ回路）及びコネクタの組は１個だけでもよく、あるいは３個以上あってもよい。
【００２７】
スロットボード１４は、サブユニットボード１２に対して脱着自在に接続され、コピー先の記録媒体を装着するための複数のスロット１４ｃ及びコネクタ１４ａ、１４ｂ並びに各スロット１４ｃとコネクタ１４ａ、１４ｂを接続するための信号線を有する。
【００２８】
コネクタ１４ａは、サブユニットボード１２のコネクタ１２ｈと接続され、コネクタ１４ｂは、サブユニットボード１２のコネクタ１２ｉと接続される。メインボード１０からのコピー元のデータはサブユニットボード１２のシリアルパラレル変換回路（Ｓ／Ｐ）１２ｅ、１２ｆでシリアルデータに変換され、コネクタ１２ｈとコネクタ１４ａ、及びコネクタ１２ｉとコネクタ１４ｂを介してスロットボード１４の各スロット１４ｃに供給される。コピー元のデータは、コネクタ１２ｈ、１２ｉ、１４ａ、１４ｂを介して各スロット１４ｃに対して並行して供給される。
【００２９】
スロット１４ｃは、記録媒体の種類に応じた形状のスロットであり、例えばＵＳＢメモリやＳＤメモリ等の記録媒体が装着される。スロット１４ｃの数は任意であるが、例えば１０個とすることができる。
【００３０】
このように、本実施形態のデュプリケータ１は、従来の単一のメインボードの代わりに、その機能を３つに分割し、メインボード１０とサブユニットボード１２とスロットボード１４とに３分割し、それぞれの間を脱着自在に接続したものということができる。スロットボード１４は基本的に記録媒体に応じたスロット１４ｃのみを搭載するものであり、仮にスロット１４ｃに異常や故障が生じた場合でも、メインボード１０については交換する必要がなく、スロットボード１４をサブユニットボード１２からコネクタ部分で切り離してスロットボード１４のみを交換すればよい。
【００３１】
また、コピー元の記録媒体の種類を変更する場合、例えばＵＳＢメモリからＳＤメモリに変更する場合には、サブユニットボード１２とスロットボード１４をメインボード１０からコネクタ部分で切り離し、それぞれ記録媒体の種類に応じたサブユニットボード１２とスロットボード１４に交換すればよい。例えば、コピー先の記録媒体をＵＳＢメモリからＳＤメモリに変更する場合、サブユニットボード１２をＵＳＢ用からＳＤメモリ用に変更するとともに、スロットボード１４をＵＳＢメモリ用からＳＤメモリ用に変更する等である。本実施形態では、コピー先の記録媒体の種類を変更する場合でも、メインボード１０を変更する必要はなく、そのまま使用し続けることができる。
【００３２】
サブユニットボード１２の交換は、デュプリケータ１の電源をＯＦＦとして行われるが、  サブユニットボード１２を交換した後、メインボード１０のＣＰＵ１０ａは、サブユニットボード１２の種類に関する情報を取得し、サブユニットボード１２の種類に応じた処理を実行する。すなわち、メインボード１０のＣＰＵ１０ａは、サブユニットボード１２がＵＳＢ用であればＵＳＢメモリの規格で定められたデータ処理及びコマンドを実行し、サブユニットボード１２がＳＤメモリ用であればＳＤメモリの規格で定められたデータ処理及びコマンドを実行する。メインボード１０のＣＰＵ１０ａは、デュプリケータの電源ＯＮ後の起動処理においてサブユニットボード１２の種類についての情報をその都度取得する。デュプリケータ１にコピー先の記録媒体の種類を手動設定するディップスイッチを設けてもよい。また、サブユニットボード１２が複数種類の記録媒体に対応する複合基板である場合には、交換したスロットボード１４の種類を、電気的あるいは機械的に検出して、実行するデータ処理およびコマンドを切り替える。複合基板の場合は、サブユニットボード１２に記録媒体の種類に応じた複数のコネクタが搭載されるため、複数種類のコネクタの内、スロットボード１４と接続されているコネクタを検出（例えば、コネクタの導通／非導通を検出）することによって、電気的にスロットボード１４の種類を検出することができる。勿論、スロットボード１４に識別子を設け、それをセンサ等で読み取ったり、ディップスイッチや検出スイッチを設けて機械的に切り替えることによって、スロットボード１４の種類を検出するようにしてもよく、その手法を限定するものではない。
【００３３】
図２に、デュプリケータ１の外観斜視図を示す。デュプリケータ１の正面には各種操作パネル１５や電源スイッチが配置されるともに、コピー元の記録媒体を装着するためのスロット１６、及びコピー先の記録媒体を装着するためのスロットボード１４及びスロット１４ｃが配置される。スロットボード１４は、図中縦方向に複数個、図では５個が並列して設置される。なお、設置されるスロットボード１４が４個以下の場合には、空き空間の前面部（デュプリケータ１の正面）にダミーパネルが設置され、空き空間が閉塞される。設置される各スロットボード１４にはそれぞれ横方向に複数個、図では１０個のスロット１４ｃが配置される。したがって、本実施形態におけるデュプリケータ１では、スロット１４ｃを最大で５０個まで配置することができ、この５０個のスロット１４ｃのそれぞれに記録媒体が装着可能である。スロット１４ｃに装着された記録媒体には、既述したように並行してコピー元のデータが供給され、並行してコピーが実行される。そして、記録媒体毎にコピーの検証が実行され、各記録媒体毎に検証結果が表示される。スロット１６には、コピー元の記録媒体として例えばＵＳＢメモリが装着され、各スロット１４ｃには、コピー先の記録媒体として例えばＵＳＢメモリが装着される。
【００３４】
スロット１６にコピー元の記録媒体としてＵＳＢメモリが装着されると、メインボード１０のＣＰＵ１０ａはコピー元のＵＳＢメモリに格納されているデータを読み出し、ＲＡＭ１０ｂに格納する。そして、コネクタ１０ｄ、１２ｇを介して当該データをコピー元のデータ（コピーデータ）としてサブユニットボード１２に供給する。コピーデータはサブユニットボード１２のＦＩＦＯメモリ１２ｄに格納され、順次読み出されてシリアル／パラレル変換回路１２ｅ、１２ｆでシリアルデータに変換されてコネクタ１２ｈ、１２ｉ、１４ａ、１４ｂを介してスロットボード１４の各スロット１４ｃに供給され、各スロット１４ｃに装着されたＵＳＢメモリに記録される。コピーは、各スロット１４ｃに対して並行して実行される。コピーデータのコピーが完了すると、次に、メインボード１０のＣＰＵ１０ａは、各スロット１４ｃに装着されたＵＳＢメモリに対して検証処理を実行する。この検証処理も各スロット１４ｃのＵＳＢメモリ毎に並行して実行する。検証の結果、正常であればコピーは正常に完了したと判定し、異常であればコピーは正常に完了していないと判定する。正常に完了した場合、当該スロットに対して近傍に設けられたＬＥＤ１７を緑色に点灯する。一方、正常に完了しなかった場合、ＬＥＤ１７を赤色に点灯する。したがって、ユーザは、ＬＥＤ１７の色を視認することで、正常にコピーが完了したスロットと、正常に完了しなかったスロットを容易に確認することができる。
【００３５】
デュプリケータ１は、必要に応じて複数個をカスケード接続することができる。したがって、例えば１００個のＵＳＢメモリに対してコピーしたい場合、デュプリケータ１にもう一つのデュプリケータを接続し、コピーデータを各スロット１４ｃ（合計１００個のスロット）に並行して供給する。
【００３６】
図３に、スロットボード１４をデュプリケータ１のサブユニットボード１２から取り外した状態の外観斜視図を示す。また、図４（ａ）、（ｂ）及び図５に、デュプリケータ１の上蓋を外した状態の外観斜視図を示す。メインボード１０は、ブラケット１１を介して筐体内部における奥行き方向の所定位置（略中間位置）に、長手方向が横方向となるように立設固定される。メインボード１０は、ブラケット１１の背面側に固定される。ブラケット１１は、筐体内部の空間を奥行き方向に二分するように筐体の両側壁間に固定される。ブラケット１１には、メインボード１０のコネクタ１０ｄが挿入される開口が形成されており、メインボード１０のコネクタ１０ｄは、メインボード１０がブラケット１１に固定された際に開口から正面方向に向けて突出する。筐体背面には冷却ファン６０が設けられ、筐体内部の空気を筐体外部に排気することでメインボード１０を冷却する。メインボード１０に対して正面側に奥壁５０が筐体内部に固定され、サブユニットボード１２はメインボード１０と奥壁５０との間に配設される。すなわち、サブユニットボード１２のコネクタ１２ｇはメインボード１０のコネクタ１０ｄに接続され、サブユニットボード１２の反対側の面は、奥壁５０に形成された開口部５１に挿入される。図４（ｂ）に、奥壁５０の斜視図を示す。図示のように、奥壁５０には複数のサブユニットボード１２のそれぞれに対応し、サブユニットボード１２が挿入される開口部５１が形成される。奥壁５０の開口部５１に挿入されたサブユニットボード１２の当該面は、さらに図３に示されるブラケット１８により筐体に締結固定される。ブラケット１８の中央部には１対の開口が設けられ、この開口にサブユニットボード１２の２つのコネクタ１２ｈ、１２ｉがそれぞれ挿入され、開口から正面方向に向けて突出する。サブユニットボード１２をデュプリケータ１の筐体に固定するブラケット１８により、奥壁５０の開口部５１が閉塞される。なお、サブユニットボード１２が４個以下の場合には、サブユニットボード１２が未装着の奥壁５０の開口部５１はダミーのブラケット１８（開口なし）により閉塞される。スロットボード１４は、筐体内部に設けられた独立空間としての収容室５２内に装着される。収容室５２の奥側（背面側）は奥壁５０で形成される。ブラケット１８の開口からはサブユニットボード１２の２つのコネクタ１２ｈ、１２ｉが正面側に向けて突出しているため、スロットボード１４のコネクタ１４ａ、１４ｂをそれぞれサブユニット１２のコネクタ１２ｈ、１２ｉに接続することでスロットボード１４を装着する。本実施形態では、既述したように冷却ファン６０により筐体内部の空気を筐体外部に排気することでメインボード１０を冷却するが、この際に、ブラケット１８が一種の障壁となって粉塵が外部から筐体に吸い込まれてスロットボード１４のスロット１４ｃに付着する事態を防止できる。サブユニットボード１２を筐体に固定するためのブラケット１８は、スロットボード１４の空間を筐体内部から完全に隔離し、密閉状態とすることが好適である。ブラケット１８はサブユニットボード１２を筐体に固定するための器具であるため、サブユニットボード１２を脱着自在に構成し、このサブユニットボード１２にスロットボード１４を脱着自在に構成することで、サブユニットボード１２とスロットボード１４間に障壁を設けることが可能となり、これによりスロットボード１４に対して冷却ファンの吸込空気による粉塵の付着に起因するスロットの異常や故障を防止できるといえる。
【００３７】
図６に、デュプリケータ１の筐体内部でのメインボード１０、サブユニットボード１２、及びスロットボード１４の装着状態における斜視図を示す。また、図７に、メインボード１０、サブユニットボード１２、及びスロットボード１４の装着状態における平面図を示す。
【００３８】
メインボード１０は、既述したように筐体内において長手方向が横方向となるように立設配置される。コネクタ１０ｄは、メインボード１０の基板面から正面方向に向けて突出する。サブユニットボード１２は、立設したメインボード１０に対し、メインボード１０の基板面に対してほぼ垂直となるようにコネクタ１０ｄ、１２ｇを介して装着される。また、スロットボード１４は、サブユニットボード１２に対してほぼ同一平面となるようにコネクタ１２ｈ、１２ｉ、１４ａ、１４ｂを介して装着される。コネクタ１２ｈとコネクタ１４ａ、コネクタ１２ｉとコネクタ１４ｂが互いに接続されるため、コネクタ１２ｈとコネクタ１２ｉとの間隔は、コネクタ１４ａとコネクタ１４ｂとの間隔に等しくなるように設定される。
【００３９】
もちろん、これは装着の一例にすぎず、例えば図８及び図９に示すように、メインボード１０、サブユニットボード１２，スロットボード１４がほぼ同一平面内にあるようにこれらをコネクタで相互に装着してもよい。図８は斜視図、図９は平面図である。但し、複数のサブユニットボード１２をメインボード１０に接続するためには、図６に示すようにメインボード１０を立設し、このメインボード１０に対して複数のサブユニットボード１２を互いに平行に、かつ、メインボード１０の基板面に対してほぼ垂直に接続していくことが望ましい。
【００４０】
このように、本実施形態では、メインボード１０とサブユニットボード１２とスロットボード１４を備え、スロットボード１４のみの交換、あるいはスロットボード１４とサブユニットボード１２のみの交換だけを行い、メインボード１０をそのまま使用することを可能としたので、スロット１４ｃの異常や故障時、あるいはコピー先の記録媒体の種類の交換を迅速、かつ低コストで実現できる。
【００４１】
本実施形態では、コピー先の記録媒体の種類を交換する際には、スロットボード１４とサブユニットボード１２を交換するが、スロットの異常や故障時と同様に、記録媒体の種類の交換時においてもスロットボード１４の交換のみで済ませる構成とすることも可能である。
【００４２】
図１０及び図１１に、この場合の構成を示す。メインボード１０とサブユニットボード１２は一体化しているが、この一体化したボード１３にＵＳＢ用の信号処理回路及びコネクタ１２ｈ、１２ｉとＳＤメモリ用の信号処理回路及びコネクタ２０を備える。左右両端のコネクタをＵＳＢメモリ用のコネクタ１２ｈ、１２ｉとし、中央のコネクタをＳＤメモリ用のコネクタ２０とすると、コピー先の記録媒体がＵＳＢメモリである場合には、図１０の斜視図に示すようにＵＳＢメモリ用のスロット１４ｃを有するスロットボード１４のコネクタ１４ａ、１４ｂを一体化ボード１３の左右のコネクタ１２ｈ、１２ｉに装着する。
【００４３】
一方、コピー先の記録媒体がＳＤメモリである場合には、図１１の斜視図に示すように、ＳＤメモリ用のスロット１４ｃを有するスロットボード１４のコネクタ２２を一体化ボード１３の中央のコネクタ２０に装着する。これにより、一体化ボード１３はそのまま使用しつつ、スロットボード１４のみを交換することでスロット１４ｃの異常や故障のみならず記録媒体の種類の変更にも対応できる。
【００４４】
また、メインボード１０とサブユニットボード１２とが一体化してボード１３を形成するのではなく、図１に示すようにメインボード１０とサブユニットボード１２とが機能的に分離している構成を維持しつつ、サブユニットボード１２にＵＳＢ用の信号処理回路及びコネクタ１２ｈ、１２ｉとＳＤメモリ用の信号処理回路及びコネクタ２０を備えることもできる。コンバート回路とコネクタ１２ｈ、１２ｉ、２０を備えてもよい。図１２及び図１３に、この場合の構成を示す。サブユニットボード１２にＵＳＢ用の信号処理回路及びコネクタ１２ｈ、１２ｉとＳＤメモリ用の信号処理回路及びコネクタ２０を備える。左右両端のコネクタをＵＳＢメモリ用のコネクタ１２ｈ、１２ｉとし、中央のコネクタをＳＤメモリ用のコネクタ２０とすると、コピー先の記録媒体がＵＳＢメモリである場合には、図１２の斜視図に示すようにＵＳＢメモリ用のスロット１４ｃを有するスロットボード１４のコネクタ１４ａ、１４ｂをサブユニットボード１２の左右のコネクタ１２ｈ、１２ｉに装着する。
【００４５】
一方、コピー先の記録媒体がＳＤメモリである場合には、図１３の斜視図に示すように、ＳＤメモリ用のスロット１４ｃを有するスロットボード１４のコネクタ２２をサブユニットボード１２の中央のコネクタ２０に装着する。サブユニットボード１２にコンバート回路を構成した場合、ＵＳＢメモリやＳＤメモリ以外の記録媒体にも容易に対応することができる。
【００４６】
また、本実施形態では、コピー元の記録媒体を装着するためのスロット１６（図２参照）については特に言及していないが、このスロット１６に関しても、スロット１４ｃと同様に一体化ボードに対してコネクタを介して脱着自在なスロットボードに搭載する構成としてもよい。既述したように、コピー元の記録媒体とコピー先の記録媒体は同一種類であることが好ましいが、コピー元及びコピー先をともにＵＳＢメモリからＳＤメモリに変更する場合、スロット１６を搭載するスロットボードをＵＳＢメモリ用からＳＤメモリ用に変更し、かつ、スロットボード１４をＵＳＢメモリ用からＳＤメモリ用に変更するだけで対応することができる。
【００４７】
なお、記録媒体の異常あるいは故障と、その記録媒体が装着されるスロット１４ｃの異常あるいは故障との識別は、以下のように行えばよい。すなわち、複数の記録媒体に対してデータをコピーした後、特定のスロット１４ｃにおいてＬＥＤが赤色に点灯し、コピーが正常に完了しなかったものとする。この場合、次に、当該記録媒体を別のスロット１４ｃに装着して再びコピーを行う。そして、再びその記録媒体が装着されたスロット１４ｃが赤色に点灯してコピーが正常に完了しなかった場合、スロット１４ｃではなくその記録媒体に異常あるいは故障がある可能性が高いと判断できる。一方、スロット１４ｃを代えてコピーが正常に完了した場合、元のスロット１４ｃに異常あるいは故障がある可能性が高いと判断し、スロットボード１４ｃを交換すればよい。
【００４８】
上記の実施形態では、記録媒体としてＵＳＢメモリとＳＤメモリを例示したが、他の任意の記録媒体にも適用できることはいうまでもない。
【符号の説明】
【００４９】
１０  メインボード、１２  サブユニットボード、１４  スロットボード。
【図１】
2010198549.tif 000003
【図２】
2010198549.tif 000004
【図３】
2010198549.tif 000005
【図４】
2010198549.tif 000006
【図５】
2010198549.tif 000007
【図６】
2010198549.tif 000008
【図７】
2010198549.tif 000009
【図８】
2010198549.tif 000010
【図９】
2010198549.tif 000011
【図１０】
2010198549.tif 000012
【図１１】
2010198549.tif 000013
【図１２】
2010198549.tif 000014
【図１３】
2010198549.tif 000015